(57)【要約】      （修正有）【課題】アイドルの問題が発生することを防止でき、清潔効率を向上でき、汚染除去をより効率的に行うことができ、また、耐用性が向上した清潔用海綿体構造を提供する。【解決手段】回転可能の基材に適用され、フレクシブルに富んだ材料を担体として、高度機械強度とより良い層間結合力を有する構造からなる。回転可能の基材外側縁に巻き囲まれるフレクシブル担体と、回転可能の基材のフレクシブル担体に巻き囲まれ、外表面に、それぞれ、複数の凹弧部が形成され、各凹弧部の曲率が７０％〜９９％の間にある海綿体と、が含有される。【選択図】図３
0003160732.tif 000002
【実用新案登録請求の範囲】
【請求項１】
回転可能の基材に適用され、フレクシブル富みの材料を担体として、高度機械強度とより良い層間結合力を有する構造からなる清潔用海綿体構造であって、
上記回転可能の基材外側縁に巻き囲まれるフレクシブル担体と、
上記回転可能の基材のフレクシブル担体に巻き囲まれ、外表面に、それぞれ、複数の凹弧部が形成され、各凹弧部の曲率が70%〜99%の間にある海綿体と、が含有されることを特徴とする清潔用海綿体構造。
【請求項２】
上記フレクシブル担体は、繊維布やフレクシブル富みの材質からなることを特徴とする請求項１に記載の清潔用海綿体構造。
【請求項３】
上記フレクシブル担体は、網状孔を有する片状体であることを特徴とする請求項１に記載の清潔用海綿体構造。
【考案の詳細な説明】
【技術分野】
【０００１】
本考案は、清潔用海綿体構造に関し、特に、片状であるフレクシブル富みの材料を担体とし、海綿体と回転可能の基材とが互いに脱離しない高度機械強度とより良い層間結合力を有する構造に関する。
【背景技術】
【０００２】
一般の精密電子素子は、例えば、シリコンウェハやハードディスク、半導体及びCPUチップであり、その必要とする清潔構造は、中華民国専利第419401号に掲示された「清潔用海綿体ローラー」のように、弾性のあるポリビニルアセタール系多孔質体海綿体から構成され、その側部の表面に複数の突起が配置され、また、上記突起の上部が回転可能に被清潔体の清潔面に接触することにより、被清潔体を清潔し、上記突起の上部は平滑度の高い表層部から形成され、これにより、作動機構を駆動して、表面に配置された多数の突起で、精密電子素子を清潔する効果が得られる。
【０００３】
また、中華民国専利第286096号に掲示された「転動可能の基座に単一多孔パッドを作製する方法と材料」は、内表面と外表面がある転動可能の基座と、上記基座の少なくとも一部の外表面を多い、基材から材料を除去する多孔パッド材料と、が含有され、上記多孔パッド材料と上記基座とが結合されて、突出物が上記多孔パッド材料表面上において位置付けられ、これにより、作動機構を駆動して、突出物で精密電子素子を清潔する効果が得られる。
【０００４】
上記の二種類の従来の「清潔用海綿体ローラー」と「転動可能の基座に単一多孔パッドを作製する方法と材料」は、ともに、精密電子素子を清潔する効果が得られるが、上記の「清潔用海綿体ローラー」の突起の上部は、平滑度の高い表層部から形成され、上記突起の上部が平面になり、また、上記の「転動可能の基座に単一多孔パッドを作製する方法と材料」の突出物が、形成された後、平面になり、両者で清潔する時、有効に、不規則面である精密電子素子に接触できず、また、海綿体が長時間に回転すると、海綿体が弾性疲労になり、これにより、海綿体と海綿体ローラーとが脱離して、アイドルの問題が発生し、そのため、一般の従来の清潔構造は実用的とは言えない。
【０００５】
本考案者は、上記欠点を解消するため、慎重に研究し、また、学理を活用して、有効に上記欠点を解消でき、設計が合理である本考案を提案する。
【先行技術文献】
【特許文献】
【０００６】
【特許文献１】中華民国専利第419401号
【特許文献２】中華民国専利第286096号
【考案の開示】
【考案が解決しようとする課題】
【０００７】
本考案の主な目的は、従来の技術の上記問題を解消するため、片状であるフレクシブル富みの材料を担体として、海綿体と回転可能の基材とが脱離することのない高度機械強度とより良い層間結合力を有する清潔用海綿体構造を提供する。
【０００８】
本考案の他の目的は、より効率的に、上記海綿体の端面にある凹弧部を利用して、使用する時の接触面積を増大させ、清潔効率を向上でき、また、汚染除去をより効率的に行うことができ、そして、耐用性が向上される清潔用海綿体構造を提供する。
【課題を解決するための手段】
【０００９】
本考案は、上記の目的を達成するために、回転可能の基材に適用され、フレクシブル富みの材料を担体として、高度機械強度とより良い層間結合力を有する構造からなる清潔用海綿体構造であって、上記回転可能の基材外側縁に巻き囲まれるフレクシブル担体と、上記回転可能の基材のフレクシブル担体に巻き囲まれ、外表面に、それぞれ、複数の凹弧部が形成され、各凹弧部の曲率が、７０％〜９９％の間にある海綿体と、が含有される清潔用海綿体構造である。
【００１０】
以下、図面を参照しながら、本考案の特徴や技術内容について、詳しく説明するが、それらの図面等は、参考や説明のためであり、本考案は、それによって制限されることが無い。
【図面の簡単な説明】
【００１１】
【図１】本考案のフレクシブル担体の概念図
【図２】本考案のフレクシブル担体に巻き囲む使用状態の概念図
【図３】本考案の立体外観概念図
【図４】本考案の断面状態概念図
【考案を実施するための形態】
【００１２】
図１〜図４は、それぞれ、本考案のフレクシブル担体の概念図と本考案のフレクシブル担体に巻き囲む使用状態の概念図、本考案の立体外観概念図及び本考案の断面状態概念図である。図のように、本考案は、清潔用海綿体構造であり、回転可能の基材３に適用され、フレクシブル富みの材料を担体とし、例えば、繊維布であり、高度機械強度とより良い層間結合力を有する構造であり、少なくともフレクシブル担体１と海綿体２から構成される。
【００１３】
上記のフレクシブル担体１は、網状孔１１を有する片状体で、上記回転可能の基材３外側縁に巻き囲まれる。
【００１４】
上記海綿体２は、上記回転可能の基材３に巻き囲まれるフレクシブル担体１の外側縁に覆われ、上記海綿体２の外表面に、それぞれ、複数の凹弧部２１が配置され、各凹弧部２１の曲率が70%〜99%の範囲にあり、上記海綿体２は円柱体であり、上記海綿体２と各凹弧部２１とが一体成型に構成される。
【００１５】
本考案によれば、より良い実施例において、まず、上記フレクシブル担体１を上記回転可能の基材３上に巻き囲み、また、海綿体が発泡することにより、上記フレクシブル担体１を完全に被覆する特性を利用して、上記フレクシブル担体１は、上記海綿体２が成型される時、同時に、上記海綿体２によって被覆され、上記海綿体２が上記フレクシブル担体１を被覆し、上記フレクシブル担体１が緊密に上記回転可能の基材３を巻き囲むことにより、上記海綿体２は、上記フレクシブル担体１により、緊密に上記回転可能の基材３に結合され、粘着剤に類似する効果が得られる。実用上、上記海綿体２が長時間に回転することにより上記海綿体２が弾性疲労になって、上記海綿体２と上記回転可能の基材３とが脱離して、アイドルの問題が発生することを防止でき、また、本考案によれば、上記海綿体２の端面に配置された、曲率が70%〜99%の間にある凹弧部２１を、有効に利用して、接触面積を増大させ、清潔効率が向上され、また、汚染除去をより効率的に行うことができ、そして、耐用性が向上される。
【００１６】
以上のように、本考案に係る清潔用海綿体構造は、有効に、従来の諸欠点を解消でき、片状であるフレクシブル富みの材料を担体とし、高度機械強度とより良い層間結合力を有する構造が形成され、海綿体と回転可能の基材との結合は、海綿体が長時間に回転することにより、海綿体が弾性疲労になって海綿体と回転可能の基材とが脱離することにより、アイドルの問題が発生することを防止できる。
【００１７】
そのため、本考案は、より進歩的かつより実用的で、法に従って実用新案登録請求を出願する。
【００１８】
以上は、ただ、本考案のより良い実施例であり、本考案は、それによって制限されることが無く、本考案に係わる実用新案登録請求の範囲や明細書の内容に基づいて行った等価の変更や修正は、全てが、本考案の実用新案登録請求の範囲内に含まれる。
【符号の説明】
【００１９】
１    フレクシブル担体
１１  孔
２    海綿体
２１  凹弧部
３    回転可能の基材
【図１】
0003160732.tif 000003
【図２】
0003160732.tif 000004
【図３】
0003160732.tif 000005
【図４】
0003160732.tif 000006
【手続補正書】
【提出日】平成22年4月27日(2010.4.27)
【手続補正１】
【補正対象書類名】実用新案登録請求の範囲
【補正対象項目名】請求項１
【補正方法】変更
【補正の内容】
【請求項１】
回転可能の基材に適用され、フレクシブルに富んだ材料を担体として、高度機械強度と層間結合力を有する構造からなる清潔用海綿体構造であって、
上記回転可能の基材外側縁に巻き囲まれるフレクシブル担体と、
上記回転可能の基材のフレクシブル担体に巻き囲まれ、外表面に、それぞれ、複数の凹弧部が形成され、各凹弧部の曲率が70%〜99%の間にある海綿体と、が含有されることを特徴とする清潔用海綿体構造。
【手続補正２】
【補正対象書類名】実用新案登録請求の範囲
【補正対象項目名】請求項２
【補正方法】変更
【補正の内容】
【請求項２】
上記フレクシブル担体は、繊維布やフレクシブルに富んだ材質からなることを特徴とする請求項１に記載の清潔用海綿体構造。
【手続補正３】
【補正対象書類名】明細書
【補正対象項目名】００１２
【補正方法】変更
【補正の内容】
【００１２】
図１〜図４は、それぞれ、本考案のフレクシブル担体の概念図と本考案のフレクシブル担体に巻き囲む使用状態の概念図、本考案の立体外観概念図及び本考案の断面状態概念図である。図のように、本考案は、清潔用海綿体構造であり、回転可能の基材３に適用され、フレクシブルに富んだ材料を担体とし、例えば、繊維布であり、高度機械強度とより良い層間結合力を有する構造であり、少なくともフレクシブル担体１と海綿体２から構成される。
【手続補正４】
【補正対象書類名】明細書
【補正対象項目名】００１６
【補正方法】変更
【補正の内容】
【００１６】
以上のように、本考案に係る清潔用海綿体構造は、有効に、従来の諸欠点を解消でき、片状であるフレクシブルに富んだ材料を担体とし、高度機械強度とより良い層間結合力を有する構造が形成され、海綿体と回転可能の基材との結合は、海綿体が長時間に回転することにより、海綿体が弾性疲労になって海綿体と回転可能の基材とが脱離することにより、アイドルの問題が発生することを防止できる。